【事件の表示】
　平成　９年特許願第　２０３６８号「ピアノハンドル式スイッチ装置」拒絶査定に対する審判事件［平成　９年　８月１５日出願公開、特開平　９−２１３１７２号　］について、次のとおり審決する。
【結　論】
　本件審判の請求は、成り立たない。
【理　由】
１．　本件は、特願平９−２０３６８号に関し、その特許請求の範囲の【請求項１〜３】に係る発明につき、特許を受けることができない旨の拒絶査定が下されたのを機に、その査定に不服であるとして請求した審判請求事件に存する。
２．　本件出願は、平成２年５月２日の出願にかかり（本件変更出願の原出願のさらに分割出願の元の出願である実願平２−４７１８３号の出願日）、その特許を受けようとする発明中の【請求項１】は、願書に添付した明細書・図面の記載に徴し以下のとおりのものである。
　　「【請求項１】スイッチ機構を内蔵して形成されるスイッチ本体と、一側部がスイッチ本体の前面に取り付けられ押圧回動されることによってスイッチ本体のスイッチ機構を作動させるピアノハンドルと、スイッチ本体を３個並べて取り付けることができる大きさの取付枠と、開□窓を設けて形成され取付枠の外側に取り付けられる化粧枠とを具備し、取付枠に１個のスイッチ本体を取り付けると共に、化粧枠の開□窓とほぼ同じ大きさに形成したピアノハンドルをスイッチ本体に取り付けて成ることを特徴とするピアノハンドル式スイッチ装置。」
  　　［引用文献］
３．　これに対して、原査定の拒絶の理由として引用されたところの、
１）　第１引用例：「特開平１−１９７９２号公報」には、以下の事項が、図面とともに記載されている。
イ）　「１は取付枠で、この取付枠１はたとえば合成樹脂で形成され、中間部に組長の器具取付孔２を備え、両端部に造営物などの壁面３に埋設された配線ボックス４の取付部５、５に取付け得るピッチをもった対をなす取付孔６，６を設けているとともにプレート取付用孔７，７を設けている。
そして、この取付枠１は器具取付孔２の一側に器具の一側部に突設した突片が係合する係合孔８および器具の他方に突設した突片が弾性的に係合する係止孔９を備えて形成した３組の器具固着手段１０を設けている。この取付枠１は一般にワンタッチサポートと称されるものを可とするが、金属で形成されるものであってもよい。
　１１はスイッチ本体で、このスイッチ本体１１は前寸法が取付枠１の器具取付孔２の長手方向寸法Ｃの略１／３に形成されている。」（公報第３頁下段左欄第７行〜同頁同段右欄３行目）
ロ）　「スイッチ本体１１は合成樹脂で箱状に形成されたケース１３，このケース１３内に設けた固定接点１４を有した端子部１５，固定接点１４に接離する可動接点１６を有する可動片１７，この可動片１７にスプリング１８を介して設けられ板ばね１９を存して操作部１２を形成した揺動自在のハンドル部２０、可動接点１６、端子部１５に設けられた鎖錠片２１、この鎖錠片２１に接続する電線の係合を解除する解除釦２２、表示素子としてのネオンランプ２３および発光ダイオード２４を接続したプリント基板２５、電流トランス２６、操作部１２に対向する一対の孔２７、２７を有するとともに前面中央部に表示素子としてのネオンランプ２３および発光ダイオード２４が臨む孔２８，２８を有しケース１３に装着するカバー２９および取付枠１の係合孔９および係止孔９に係合する突片３０，３０を有しケース１３およびカバー２９を固着す取付金具３１を含んで形成されている。」（公報第３頁下段右欄第５行目〜第４頁上段左欄第１行目）
ハ）　「３３はプレートで、このプレート３３は取付枠１の器具取付孔２に対向する細長い窓孔３４を有し取付枠１のプレート取付用孔７，７に嵌合する突部（図示しない。）を設け、取付枠１に取付けられる。このプレート３３は本実施例においては開口３５を有し、この関口３５の周辺部に凹部３６を形成した基体部３７，この基体部３７の凹部３６に着脱可能に嵌合する化粧枠部３８を含んで形成されている。そして、本実施例において窓孔３４はこの化粧枠部３８に形成したものを示している。そして、このプレート３３の窓孔３４は長手方向の寸法Ａをスイッチ本体１１の頬寸法Ｄの略４倍で形成している。」（公報第４頁上段左欄第９行〜第２０行目）　
ニ）　「３９は操作体で、この操作体３９はスイッチの操作部１２に装着され、かつプレート３３の窓孔３４に臨んで窓孔３４を塞ぐよう形成されている。
　そして、操作体３９は第７図および第８図に示すように、スイッチ本体１１を１個取付枠１に取付けて１個用として用いる場合は、プレート３３の窓孔３４を塞ぐ細長板状に形成された１個用のものをスイッチ本体１１の操作部１２に装着して用いる。
　また、第９図および第１０図に示すように、スイッチ本休１１を２個取付枠１に取付けて２個用として用いる場合は、プレート３３の窓孔３４の長手方向の寸法の略１／２の外形寸法で略正方形に形成された２個の操作体３９をそれぞれスイッチ本体１１の操作部１２に装着して用いる。」（公報第４頁上段右欄第１行〜１４行目）
２）　同じく原査定の拒絶の理由として引用されたところの、
　第２引用例：「特開昭６１−１７３４２８号公報」には、以下の事項が、図面とともに記載されている。
イ）　「この発明にかかるスイツチ装置は、第１図および第２図にみるように、接点機構を内蔵するボデイ１と、ボデイ１外方から前記接点機構を操作する部分である広面積のハンドル２と、ハンドル２の表面を露出させる開口３ａを有するプレート３と………………………………………取付枠５とをそれぞれ備えている。」（公報第第２頁下段左欄第１５行〜同頁同段右欄第４行目）
ロ）　「第２図および第３図にみるように、ボデイ１表面には、ボデイ１から出没する方向に往復移動し、ボデイ１内の可動接触部１５に固定接点１４、１６の開閉動作を行わせるよう働く移動体（押ボタン）８が露出している。前記ハンドル２は、第２図および第５図にみるように、その一端側で前記移動体８を覆うとともに、他端側をボデイ１に軸着させて、ピアノタッチ式になっている。その操作時には、前記一端側が押し込まれると、移動体８が押圧される。移動体８は、前記押圧を解除した際にハンドル２とプレート３の表面とがほぼ面一になようスプリング６により押圧解除方向に常に付勢されている。それにより、ブレート面とハンドル（スイツチ）との外観上の関係が調和するようになる。　また、ハンドルが、その軸着側とは反対側の部分であればどこを押しても、軸着部分を支点にして常に同じ動きをするようになっている。」（公報第２頁下段右欄第５行〜第３頁上段左欄第２行目）　
　　［当審の判断］
３．　１）　第１引用例に記載の「スイッチ本体１１」は、自体スイッチ機構を内蔵して形成されているところ、本件【請求項１】に係る発明の「スイッチ本体」に相当していることは明らかである。　右引用例に記載の「操作体３９」は、操作部１２の軸部３２を枢軸として押圧回動し、操作を誘う物であるところ本件【請求項１】に係る発明の「ハンドル」に相当し、斯かるハンドルによってスイツチ機構を作動させるものであることはその構成と機能に徴し明らかである。そして、右引用例に記載のハンドルも、回動時、一側部が押圧されて回動がなされるものであるから、これとて、（一）側部が、スイッチ本体の前面に取り付けられ押圧回動されるを実現しているものと捉えることができる。
　また、第１引用例に記載の「取付枠１」は、本件【請求項１】に係る発明に謳う「スイッチ本体を３個並べて取り付けることができる大きさの取付枠」を実現していることは明らかである（例えば第１，第６、第７図の態様とその説明参照）。
　そして、右引用例に記載の該取付枠には、「開口窓」（「取付孔２」が、相当）が設けられ、該「枠の外側に『化粧枠』（「化粧枠部３８」が、これを体現）が取り付けられるべく具備している」ことも、明らかに是認されるところである。
　さらに、第１引用例には、「取付枠に１個のスイッチ本体を取り付けると共に、」が開示されており、その際、「化粧枠の開口窓とほぼ同じ大きさに形成したハンドル｛図符４４・３９参照｝が、取り付けられて成る」ことも開示されているというべきである（第７図外参照）。
　むろん、第１引用例に記載のスイッチも、操作部における「操作体３９」をハンドルとしてスイッチを開閉せしめるものであるところ「ハンドル式スイッチ装置」といって何ら妨げのないものである。
　　　以上のとおりであるから、第１引用例には、
　「スイッチ機構を内蔵して形成されるスイッチ本体と、一側部がスイッチ本体の前面に取り付けられ押圧回動されることによってスイッチ本体のスイッチ機構を作動させるハンドルと、スイッチ本体を３個並べて取り付けることができる大きさの取付枠と、開□窓を設けて形成され取付枠の外側に取り付けられる化粧枠とを具備し、取付枠に１個のスイッチ本体を取り付けると共に、化粧枠の開□窓とほぼ同じ大きさに形成したハンドルをスイッチ本体に取り付けて成るハンドル式スイッチ装置。」
が、開示されていると捉えられる。
２）　第１引用例に記載の発明と本件【請求項１】に係る発明とを比較すると、ａ）　本件【請求項１】に係る発明では、スイッチ機構を作動させるハンドルが、「ピアノハンドル」であるのに対して、第１引用例に記載の発明においては、ハンドルではあるものの、ピアノハンドルという特定が付されていない点において相違している。
　その余の構成部分については、両者間に格別の径庭は、存しないというべきである（文言形式上差異が存したとしても、殆どピアノハンドルの違いに胚胎する。）。
３）　そこで、この相違点につき、審案する。
　ところで、ピアノハンドルによって操作されるスイッチ機構即ち、ピアノハンドル式スイッチ装置は、この出願前普通に知られている。
　即ち、前記第２引用例の記載にみるとおり、その「ハンドル２」は、文理上「ピアノタッチ式」となっており、実質上も、一側部に存する回動軸を枢軸として他端側を押圧回動することによって、スイッチ機構を作動せしめるピアノハンドル式スイッチ装置を、実現していることは明らかである。
　本件【請求項１】に係る発明は、前掲第１引用例に記載の発明のハンドル式スイッチ装置に代えて第２引用例の記載において例証されるピアノハンドル式スイッチ装置を施用したものに相当し、斯様にした点は、予測可能な公知技術の代替の域を出ないものというべきである。
　　　　蓋し、本件【請求項１】に係る発明の課題解決の本旨は、飽くまでも、
　「ハンドル式スイッチを１個取り付ける場合や、２個取り付ける場合や、３個取り付ける場合のそれぞれに、ハンドル式スイッチの取付個数に応じた大きさに形成した取付枠や化粧枠を用いる必要があり、取付枠や化粧枠として多種のものを準備する必要があるという問題があり、その打開策として、取付枠や化粧枠を共用して使用することができるハンドル式スイッチ装置を提供すること」
と、捉えるのが相当というべきであるところ、ハンドル式スイッチ機構が、ピアノハンドル式であれ、シーソウ式となるハンドル式スイッチ装置であれ、均並に課題解決に資するものであり、斯かる観点からは、ピアノハンドル式とそうでないハンドル式（シーソウ式）とで、毫も違いが生起しないものといってしかるべきであるからである。
４）　上記のとおりであるから、本件【請求項１】に係る発明は、この出願前日本国内において頒布された刊行物である第１引用例に記載された発明と、同じくこの出願前国内において頒布された刊行物である第２引用例に記載されたピアノハンドル式スイッチ装置に関する発明に基づいて当業者において、容易に想到することができたものであるところ、特許法第２９条第２項の規定により、本件【請求項１】に係る発明につき、特許を受けることができない。
５）　なお、本件は、その【請求項１】に係る発明につき、特許を受けることを得ないものであるところ、その余の請求項に係る発明については、審案するまでもなく本願につき、拒絶を免れない。
５．　　結語
　　よって、結論のとおり審決する。